(57)【要約】      （修正有）【課題】障害者等を含め、全ての人に対してセンサーが作動するユニット便器を提供する。【解決手段】本発明は、清浄水の流れができる小便器３と、小便器３の下にある垂れ小水の流れができる垂れ受皿１２と、垂れ小水が透過できる垂れ受皿１２の上をカバーする垂れ受皿パネル１３と、垂れ受皿パネル１３に設けた重量センサー１４と、小便器３に設けた清掃用の排水管１０ａと、小便器３に設けた給水管９ａでなり、重量センサー１４の働きで、水の流れを促す開閉弁９００を、排水管１０ａ、及び／又は、給水管９ａに配備したユニット便器。【選択図】図１
2020200705.tif 000002
【特許請求の範囲】
【請求項１】
清浄水の流れが可能な小便器と、この小便器の下にある垂れ小水の流れが可能な垂れ受皿と、この垂れ小水が透過できる前記垂れ受皿の上をカバーする垂れ受皿パネルと、この垂れ受皿パネルに設けた重量センサーと、前記小便器に設けた清掃用の排水管と、前記小便器に設けた給水管でなり、
前記重量センサーの働きで、水の流れを促す開閉弁を、この排水管、及び／又は、この給水管に配備したことを特徴とするユニット便器。
【請求項２】
前記垂れ受皿パネルの基端側は、前記垂れ受皿の後壁側に可動自在に枢支したことを特徴とする請求項１に記載のユニット便器。
【請求項３】
前記垂れ受皿パネルの可動側は、前記小便器の下端側に接離可能に形成したことを特徴とする請求項１に記載のユニット便器。
【請求項４】
前記小便器の下端側に弁体を付設し、この弁体は、前記垂れ受皿パネルの可動側上面に接離可能に形成したことを特徴とする請求項１に記載のユニット便器。
【請求項５】
前記小便器と、前記垂れ受皿は、ユニット形態であり、トイレ、室内、又はその他の建屋内の適所に配備可能としたことを特徴とする請求項１に記載のユニット便器。
【発明の詳細な説明】
【技術分野】
【０００１】
本発明は、利便性と清潔感を維持できるユニット便器に関する。
【背景技術】
【０００２】
従来、小便器において、悪臭と汚れ等の要因となる垂れ小水を無くす手段として各種の構造が提案されている。例えば、特開平１−２５０５３７号公報の発明では（文献（１））、この小便器と、小便器の立ち位置（床面）に設けた防水パンと、この防水パンの上に透水性床パネルを設ける構造であって、垂れ小水を、防水パンに導き、その後、排水部（小水排水管）に導く構造である。垂れ小水を、その都度処理する。また、実用新案登録第３２０２３１５号公報の考案では（文献（２））、小便器（本体）と、小便器の下側で立ち位置に設けた尿受皿部と、この尿受皿部を覆うグレーチンク形状の足場と、小便器、及び／又は、尿受皿部に、それぞれ洗浄水の放出口を敷設した構造であって、垂れ小水を、尿受皿部に導き、その後、排水管に導く構造である。この文献（１）・（２）は、垂れ小水（飛散小水を含む）の処理に関する文献と考えられる。
【０００３】
また、小便器において、悪臭と汚れ等の要因となる垂れ小水を無くすその他の手段として、或る構造が提案されている。例えば、特許第５９４６９４７号公報の発明では（文献（３））、小便器と、この小便器の立ち位置に設けた汚垂石と、この汚垂石に前向きの傾斜（小便器側に向かった傾斜）を設けた構造であって、垂れ小水を、小便器の排水部に導く構造である。垂れ小水を、その都度処理する文献である。
【特許文献１】特開平１−２５０５３７号公報
【特許文献２】実用新案登録第３２０２３１５号公報
【特許文献３】特許第５９４６９４７号公報
【発明の概要】
【発明が解決しようとする課題】
【０００４】
前記文献（１）・（２）は、垂れ小水の処理に関する発明等であり、センサーに関して、例えば、人の体型に対し、必ずしも、十分でない（従来の位置では、検知できないことが考えられる）。例えば、センサーの設置高さが高いこと、又は障害者の姿勢等により、センサーが作動しないこと、等が有り得る。
【課題を解決するための手段】
【０００５】
上記に鑑み、本発明は、前述したことを改良し、全ての人に優しく、かつセンサーが働くことを考え、請求項１〜請求項５に記載の発明を提案する。
【発明の効果】
【０００６】
請求項１においては、
清浄水の流れが可能な小便器と、この小便器の下にある垂れ小水の流れが可能な垂れ受皿と、この垂れ小水が透過できる前記垂れ受皿の上をカバーする垂れ受皿パネルと、この垂れ受皿パネルに設けた重量センサーと、前記小便器に設けた清掃用の排水管と、前記小便器に設けた給水管でなり、
前記重量センサーの働きで、水の流れを促す開閉弁を、この排水管、及び／又は、この給水管に配備したことを特徴とするユニット便器の提供である。
【０００７】
請求項２においては、
前記垂れ受皿パネルの基端側は、前記垂れ受皿の後壁側に可動自在に枢支したことを特徴とする請求項１に記載のユニット便器である。
【０００８】
請求項３では、
前記垂れ受皿パネルの可動側は、前記小便器の下端側に接離可能に形成したことを特徴とする請求項１に記載のユニット便器である。
【０００９】
請求項４では、
前記小便器の下端側に弁体を付設し、この弁体は、前記垂れ受皿パネルの可動側上面に接離可能に形成したことを特徴とする請求項１に記載のユニット便器である。
【００１０】
請求項５では、
前記小便器と、前記垂れ受皿は、ユニット形態であり、トイレ、室内、又はその他の建屋内の適所に配備可能としたことを特徴とする請求項１に記載のユニット便器である。
【図面の簡単な説明】
【００１１】
【図１】第１実施例の断面図
【図２】第１実施例の一部欠截の断面図
【図３】第２実施例の斜視図
【発明を実施するための形態】
【００１２】
以下に本発明の実施例を添付図面に基づいて説明する。
【００１３】
建物の壁面Ｗに沿って配設された便器ユニット１は、配管ケースをなす側面視して略Ｌ型形状チャンバー２と、陶器製、又は磁器製等でなる筐形、卵形等の小便器３とカウンタ４と、フロントパネル５と陶器製、又は陶磁器製の床パネル６でなる。
【００１４】
この小便器３は、適宜種類のフレームメンバ３ａ〜３ｆでなる直方体状の直壁フレーム７と、フレームメンバ３ｆ〜３ｉでなる床フレーム８でなり、図示しない複数本のアンカーボルトより床面下に固定される。
【００１５】
また直壁フレーム７内には給水管９ａ、９ｂと、排水管１０ａ、１０ｂと、脱臭管１１ａ、１１ｂをそれぞれ配備し、床フレーム８にはＦＲＰ製等の樹脂製の垂れ受皿１２を埋設し、この埋設後、この垂れ受皿１２は、格子形状とか、透水製でなる垂れ受皿パネル１３を上乗せし、隠蔽するとともに、この垂れ受皿パネル１３の高さは、床パネル６と同じ高さか、場合により一段高い形態とする。
【００１６】
そして、前記垂れ受皿１２は、前記フレームメンバ３ｆ〜３ｉにユニット形態でセットされることで、例えば、ユニットの特性確保と、交換の容易化、自由化等に役立つ。また、本発明の設置とか、取替えの容易化等に寄与できる。また、垂れ受皿パネル１３の裏面には重量センサー１４を設置する。誰でも、垂れ受皿パネル１３に乗れば、重量センサー１４がオンになり、給水管９ａ等に設けた開閉弁９００（バルブ）用の弁駆動装置１５がオンし、水が流れる。尚、重量センサー１４は、弁駆動装置１５に電気的に接続されている。
【００１７】
この垂れ受皿１２の直壁フレーム７側の内側面には、排水管１０ａ等と脱臭管１１ａ等の排水口と脱臭口が配備されていることと、使用後の排水担持、及び／又は、脱臭担持が図れる。尚、直壁フレーム７側と反対側の垂れ受皿１２の外側の上辺には、前記給水管９ｂを一本〜複数本配置し、使用後の垂れ小水を流す清浄水を流す。また、給水管９ａにおいても、この給水管９ｂの流れに準ずる。この給水管９ａ、９ｂはチャンバー２内に配管した給水本体９０１と繋がり、清澄水が供給される。
【００１８】
図示のように、便器ユニット１はフロントパネル５に取付けられ、便器ユニット１の内部には、給水管９ａ、９ｂに清澄水を給停する、開閉弁９００の弁駆動装置１５が配備されている。この弁駆動装置１５への指令は、重量センサー１４のオンオフによる。また、脱臭管１１ａ、１１ｂは、図示しないが、吸引ファン等の吸引機構を備える脱臭本管に接続される。また、排水管１０ａ、１０ｂは、図示しないが、排水本管に繋がる。
【００１９】
図中２０ａ、２０ｂは小水を導く管であり、小便器３、垂れ受皿１２の小水孔、垂れ受孔と排水管１０ａ、１０ｂを繋ぐ。
【００２０】
以上のように構成した便器ユニット１の作用について以下に説明する。
【００２１】
小便器３の使用時、この小便器３からの跳ねや、小水垂れ（垂れ小水）で、床パネル６、及び／又は、垂れ受皿パネル１３に汚染が発生する。この小水垂れは、透水製でなる垂れ受皿パネル１３、及び／又は、床パネル６（透水製の例では）を通過し、垂れ受皿１２に集められる。従って、小水垂れが垂れ受皿パネル１３、及び／又は、床パネル６に滞留することは無くなる。また、小便器３の使用時には、人の重さで、重量センサー１４が作動して、小便器３洗浄用の開閉弁９００に、弁駆動装置１５より指令が伝わり、給水管９ａの開口より清浄水を、小便器３の小水受け部３００と、その近傍等に流し、その後、小水は、小水受け部３００より開口された排水管１０ａに流れていき、排水管１０ａより下水に流れる構造である。尚、図示しないが、重量センサー１４が作動しない場合（人が床パネル６に存在しない場合）においても、制御機構で、小便器３洗浄用の開閉弁９００に、弁駆動装置１５より指令を発し、清浄水を、小便器３の小水受け部３００等に流し、清浄することも有り得る。
【００２２】
一方、小水垂れは、床パネル６（滴下した小水垂れ）を、垂れ受皿パネル１３の透水部より（透水製でなる）通過し、垂れ受皿１２に集められる。従って、小水垂れが垂れ受皿パネル１３、及び／又は、床パネル６に滞留することは無くなる。また、小便器３の使用時には、人の重さで、重量センサー１４が作動して、小便器３洗浄用の開閉弁９００に、弁駆動装置１５より指令が伝わり、給水管９ｂの開口より清浄水を、垂れ受皿１２に流し、その後、小水は、垂れ受皿１２より開口された排水管１０ｂに流れていき、排水管１０ｂより下水に流れる構造である。尚、床パネル６に小水垂れが無い場合でも、重量センサー１４が作動して洗浄用開閉弁９００に弁駆動装置１５より指令が伝わり、給水管９ｂの開口より清浄水を、垂れ受皿１２に流し、その後、小水は、垂れ受皿１２より開口された排水管１０ｂに流れていき、排水管１０ｂより下水に流れ、清浄が図られる構造である。
【００２３】
また、図示しないが、吸引機構により小便器３内、垂れ受皿１２内とか、小便器３周辺の臭気が吸引されて脱臭管１１ａ、１１ｂを介し、例えば、外部、脱臭装置等に拡散される。
【００２４】
尚、本発明の便器ユニット１は、ユニット形態であり、部屋とか、集合トイレ等に、順次、かつ簡易に設置できることと、簡易な交換も可能である。
【００２５】
図２の例では、床パネル６の基端側６ａには、垂れ受皿１２の後壁側１２ｂが枢着されており、その前壁側１２ａが可動自在とし、フレームメンバ３の下端側３ｄ１に接離可能になっている。従って、垂れ受皿パネル１３に人が乗ることで、垂れ受皿パネル１３が傾斜し、かつ前記垂れ受皿パネル１３の上面（符号なし）と、前記下端側３ｄ１との間に隙間Ｈが形成される。この隙間Ｈは垂れ小水の流れに寄与し、殊に垂れ小水が多い時には有益である。また、人が垂れ受皿パネル１３の所定位置へ立ち、小便器３の小水受け部３００に向かって、用足しできることと、飛び跳ね防止等に有益である。尚、下端側３ｄ１と垂れ受皿パネル１３の上面の間には、弁体２１を設けて、体裁と臭気浸入防止等に役立てる。図中２２は垂れ受皿パネル１３の後壁側１２ｂに設けた支点である。
【００２６】
以上で説明した各実施例は、好ましい一例を示したものであり、同様な効果と特徴を有する他の構造、手段は、本発明の範疇である。
【符号の説明】
【００２７】
１  便器ユニット
２  チャンバー
３  小便器
３ａ〜３ｉ  フレームメンバ
３ｄ１  下端側
３００  小水受け部
４  カウンタ
５  フロントパネル
６  床パネル
６ａ  基端側
７  直壁フレーム
８  床フレーム
９ａ  給水管
９ｂ  給水管
９００  開閉弁
９０１  給水本体
１０ａ  排水管
１０ｂ  排水管
１１ａ  脱臭管
１１ｂ  脱臭管
１２  垂れ受皿
１２ａ  前壁側
１２ｂ  後壁側
１３  垂れ受皿パネル
１４  重量センサー
１５  弁駆動装置
２０ａ  管
２０ｂ  管
２１  弁体
２２  支点
Ｗ  壁面
【図１】
2020200705.tif 000003
【図２】
2020200705.tif 000004
【図３】
2020200705.tif 000005